(57)【特許請求の範囲】
【請求項１】
ストラップが接続されたカメラ本体を包装袋により梱包した状態で供給されるストラップ付きカメラであって、
前記ストラップの把持部側が前記包装袋に形成した開口孔を通して包装袋の外部に導出されると共に、前記ストラップの基端側が前記カメラ本体に仮固定されており、
前記ストラップの仮固定を解除したときに、前記カメラに備わる電源スイッチがＯＦＦ状態からＯＮ状態に変更されることを特徴とするストラップ付きカメラ。
【請求項２】
前記カメラ本体に抜き差し自在に設けられ、基端側が前記カメラ本体内に収容された前記ストラップを、カメラ本体内で挟み込むことでストラップを仮固定するストラップ狭持片を備え、
前記ストラップ狭持片が前記カメラ本体内へ挿入される前記ストラップの仮固定時に、前記ストラップ狭持片の挿入方向先端部が前記電源スイッチの電極間に挿入されて通電停止状態になる一方、前記ストラップ狭持片がカメラ本体から引き抜かれる仮固定の解除時に、前記挿入方向先端部が前記電極間から外れて通電状態になることを特徴とする請求項１記載のストラップ付きカメラ。
【請求項３】
前記ストラップの基端側が、先端から順にカメラ本体に形成されたストラップ挿通孔より大きい外径を有するストッパと、該ストッパに所定間隔をおいて設けられた固定用中間弾性体とを備え、
前記ストラップを前記カメラ本体内から引き出す際に、前記固定用中間弾性体を前記ストラップ挿通孔から弾性変形を伴って通過させ、前記カメラ本体が前記固定用中間弾性体と前記ストッパとの間に挟まれることで、前記ストラップが前記カメラ本体に固定されることを特徴とする請求項２記載のストラップ付きカメラ。
【請求項４】
前記ストラップの基端側が、前記カメラ本体の重心位置に固定されることを特徴とする請求項１〜請求項３のいずれか１項記載のストラップ付きカメラ。
【請求項５】
前記ストラップの基端側が、前記カメラ本体の角部に固定されると共に、前記カメラ本体の重心位置で該カメラを吊り下げ可能に前記カメラ本体の所定位置にストラップ止め部材を設けたことを特徴とする請求項１〜請求項３のいずれか１項記載のストラップ付きカメラ。
【請求項６】
前記カメラ本体に抜き差し自在に設けられ、基端側が前記カメラ本体に固定された前記ストラップを、前記カメラ本体の重心位置で該カメラを吊り下げ可能に前記カメラ本体の所定位置に仮固定するストラップ係止片を備え、
前記ストラップ係止片が前記ストラップを挟んで前記カメラ本体内へ挿入される前記ストラップの仮固定時に、前記ストラップ係止片の挿入方向先端部が前記電源スイッチの電極間に挿入されて通電停止状態になる一方、前記ストラップ係止片がカメラ本体から引き抜かれる仮固定の解除時に、前記挿入方向先端部が前記電極間から外れて通電状態になることを特徴とする請求項１記載のストラップ付きカメラ。
【請求項７】
前記ストラップ係止片が、絶縁性を有するテープ状体であることを特徴とする請求項６記載のストラップ付きカメラ。
【請求項８】
前記ストラップ係止片が、絶縁性を有するコの字型のプラグであることを特徴とする請求項６記載のストラップ付きカメラ。
【請求項９】
請求項１〜請求項８のいずれか１項記載のストラップ付きカメラを、前記包装袋から導出されたストラップを用いて展示用ハンガーに吊り下げて展示することを特徴とするストラップ付きカメラの展示方法。
【発明の詳細な説明】
【０００１】
【発明の属する技術分野】
本発明は、ストラップ付きカメラ及びその展示方法に関し、特にストラップの改良技術に関する。
【０００２】
【従来の技術】
近年、レンタル或いは販売等の形態によってユーザにレンズ付きフィルム等のカメラを提供し、ユーザの撮影後、これを回収して撮影した映像のプリントをユーザに提供するプリント提供システムが知られている。
また最近では、撮像素子により被写体を撮像して得られる画像信号を処理し、この画像信号をデジタルデータとしてメモリカード等の情報記録媒体に記録するデジタルカメラが普及しつつあり、さらに、このようなデジタルカメラにより撮影された画像データを処理して、その撮影画像を印画紙に焼き付けてユーザに提供するプリントサービスが開始されている。
【０００３】
このような状況下において、例えば特開２０００−２２８７４０号公報等には、再生可能なデジタルカメラを用いてレンズ付きフィルムのようなプリント供給システムを実現する技術が開示されている。これによれば、ユーザに再生されたカメラを安価に提供し、撮影した画像のプリント等をユーザに供給する一方、使用済みのカメラを分解・リサイクルして、極力コストをかけずにカメラを再生して市場に供給している。
【０００４】
ところで、このような再生カメラを展示販売する際、多数の再生カメラを限られたスペースに効率良く陳列するために、再生カメラはガゼット袋と称される包装袋に封入され、店頭で包装袋ごと商品陳列用のハンガー等に吊り下げて展示されているものがある。このため、包装袋にはハンガー吊り下げ用の挿通孔が形成されていた。また、例えば特開平５−１４５８８１号公報に見られるように、再生カメラ自体に手持ち用のストラップが備えられているものがあるが、装備されているストラップは展示用としては使用されてはおらず、携帯時の手持ち用としてのみに使用されていた。
【０００５】
【発明が解決しようとする課題】
しかしながら、前述した展示用ハンガーに吊り下げる展示方式では、包装袋に吊り下げ用のタブを設けると共に、このタブに挿通孔を形成する必要があり、製造工数が増加してコスト高となる一要因になっていた。また、タブに形成した挿通孔では、展示用ハンガーから容易に滑り落ちることがあるという不利があった。
また、再生カメラに装備されるストラップは、展示する際に使用されることはなく、包装袋の内部にカメラ本体と共に収容されているため、再生カメラを展示する際は、カメラ本体を支持するための部材が別途必要となり、パッケージのコストダウンを図る上で支障となっていた。
【０００６】
また、再生カメラに搭載される撮影動作のための電源は、通常は充電した後に出荷しているが、自然放電防止のため包装袋の開封時にスイッチにより通電開始されるようにしてある。ところが、再生カメラにタイマが内蔵されている場合には、一旦通電を開始した後に通電停止すると、既に記録された時刻と次に記録される時刻との整合性が取れなくなる。このため、一旦通電した後は通電を停止できないようにすることが望ましいが、このような電源の再投入不能なスイッチをカメラ本体に別途取り付ける必要が生じ、構造の複雑化とコストアップに繋がり、問題となっていた。
【０００７】
本発明は上記状況に鑑みてなされたもので、カメラ本体に備えられたストラップを展示陳列用としても利用すると共に、電源の再投入不能な電源スイッチを単純な構成で形成することにより、カメラ構成を簡略化してコストダウンの図られるストラップ付きカメラ及びその展示方法を提供することを目的としている。
【０００８】
【課題を解決するための手段】
上記目的を達成するための本発明に係る請求項１記載のストップ付きカメラは、ストラップが接続されたカメラ本体を包装袋により梱包した状態で供給されるストラップ付きカメラであって、前記ストラップの把持部側が前記包装袋に形成した開口孔を通して包装袋の外部に導出されると共に、前記ストラップの基端側が前記カメラ本体に仮固定されており、前記ストラップの仮固定を解除したときに、前記カメラに備わる電源スイッチがＯＦＦ状態からＯＮ状態に変更されることを特徴とする。
【０００９】
このストラップ付きカメラでは、カメラ本体に仮固定されるストラップの基端側とは反対側の把持部側を包装袋の外部に導出することで、カメラを梱包状態のままストラップにより吊り下げることができる。また、ストラップの仮固定を解除したときに、カメラに備わる電源スイッチがＯＦＦ状態からＯＮ状態に変更されることにより、電源スイッチをストラップと協働して動作させることができ、単純な機構でカメラ構成を簡略化でき、コストダウンを図ることができる。
【００１０】
請求項２記載のストラップ付きカメラは、前記カメラ本体に抜き差し自在に設けられ、基端側が前記カメラ本体内に収容された前記ストラップを、カメラ本体内で挟み込むことでストラップを仮固定するストラップ狭持片を備え、前記ストラップ狭持片が前記カメラ本体内へ挿入される前記ストラップの仮固定時に、前記ストラップ狭持片の挿入方向先端部が前記電源スイッチの電極間に挿入されて通電停止状態になる一方、前記ストラップ狭持片がカメラ本体から引き抜かれる仮固定の解除時に、前記挿入方向先端部が前記電極間から外れて通電状態になることを特徴とする。
【００１１】
このストラップ付きカメラでは、抜き差し自在なストラップ狭持片によりストラップを仮固定することで、カメラの梱包時にストラップが引き出されることが防止され、また、開梱時にストラップ狭持片をカメラ本体から抜き取ることで電源スイッチが通電停止状態から通電状態に変化する。
【００１２】
請求項３記載のストラップ付きカメラは、前記ストラップの基端側が、先端から順にカメラ本体に形成されたストラップ挿通孔より大きい外径を有するストッパと、該ストッパに所定間隔をおいて設けられた固定用中間弾性体とを備え、前記ストラップを前記カメラ本体内から引き出す際に、前記固定用中間弾性体を前記ストラップ挿通孔から弾性変形を伴って通過させ、前記カメラ本体が前記固定用中間弾性体と前記ストッパとの間に挟まれることで、前記ストラップが前記カメラ本体に固定されることを特徴とする。
【００１３】
このストラップ付きカメラでは、ストラップをカメラ本体内から引き出す際に、固定用中間弾性体をストラップ挿通孔から弾性変形を伴って通過させる。この固定用中間弾性体はストラップ挿通孔の通過後に元の形状に弾性復帰することで、固定用中間弾性体とストッパとの間にカメラ本体が挟まれてストラップがカメラ本体に固定される。
【００１４】
請求項４記載のストラップ付きカメラは、前記ストラップの基端側が、前記カメラ本体の重心位置に固定されることを特徴とする。
【００１５】
このストラップ付きカメラでは、ストラップの基端側がカメラ本体の重心位置に固定されることで、ストラップによりカメラを吊り下げるときに、カメラが傾斜することなく水平に保持されるようになる。
【００１６】
請求項５記載のストラップ付きカメラは、前記ストラップの基端側が、前記カメラ本体の角部に固定されると共に、前記カメラ本体の重心位置で該カメラを吊り下げ可能に前記カメラ本体の所定位置にストラップ止め部材を設けたことを特徴とする。
【００１７】
このストラップ付きカメラでは、ストラップの基端側がカメラ本体の角部に固定され、カメラ本体の所定位置でストラップ止め部材によってカメラ本体側に止められることで、ストラップによりカメラを吊り下げるときに、カメラが傾斜することなく水平に保持されるようになる。また、カメラの使用時には、ストラップがカメラ本体の角部に固定されているため、ストラップが邪魔になりにくくなり掌握性が向上する。
【００１８】
請求項６記載のストラップ付きカメラは、前記カメラ本体に抜き差し自在に設けられ、基端側が前記カメラ本体に固定された前記ストラップを、前記カメラ本体の重心位置で該カメラを吊り下げ可能に前記カメラ本体の所定位置に仮固定するストラップ係止片を備え、前記ストラップ係止片が前記ストラップを挟んで前記カメラ本体内へ挿入される前記ストラップの仮固定時に、前記ストラップ係止片の挿入方向先端部が前記電源スイッチの電極間に挿入されて通電停止状態になる一方、前記ストラップ係止片がカメラ本体から引き抜かれる仮固定の解除時に、前記挿入方向先端部が前記電極間から外れて通電状態になることを特徴とする。
【００１９】
このストラップ付きカメラでは、抜き差し自在なストラップ係止片によりストラップを仮固定することで、カメラの梱包時にストラップが引き出されることが防止され、ストラップ係止片の挿入方向先端部が電源スイッチの電極間に挿入されて電源スイッチが通電停止状態になる。また、カメラの開梱時にストラップ係止片がカメラ本体から引き抜かれることで、ストラップ係止片の挿入方向先端部が電源スイッチの電極間から外れて通電状態になる。
【００２０】
請求項７記載のストラップ付きカメラは、前記ストラップ係止片が、絶縁性を有するテープ状体であることを特徴とする。
【００２１】
このストラップ付きカメラでは、ストラップ係止片が絶縁性を有するテープ状体であることにより、簡単にストラップ係止片を作製でき、弱い力であっても確実に電源スイッチの状態を変更することができる。
【００２２】
請求項８記載のストラップ付きカメラは、前記ストラップ係止片が、絶縁性を有するコの字型のプラグであることを特徴とする。
【００２３】
このストラップ付きカメラでは、ストラップ係止片が絶縁性を有するコの字型のプラグであることにより、抜き差し動作を容易にできる。
【００２４】
請求項９記載のストラップ付きカメラの展示方法は、請求項１〜請求項８のいずれか１項記載のストラップ付きカメラを、前記包装袋から導出されたストラップを用いて展示用ハンガーに吊り下げて展示することを特徴とする。
【００２５】
このストラップ付きカメラの展示方法では、包装袋から導出されたストラップを展示用ハンガーに吊り下げることでストラップ付きカメラを梱包状態のままで容易に展示することができる。
【００２６】
【発明の実施の形態】
以下、本発明に係るストラップ付きカメラ及びその展示方法の好適な実施の形態について、図面を参照して詳細に説明する。
図１は本発明に係るストラップ付きカメラを示す概念的な透視図である。本実施形態のストラップ付きカメラは、使用後に分解・再生組み立てして生産された再生デジタルカメラであって、図１には再生したデジタルカメラ１００が包装され、販売若しくは貸与されるときの状態を示している。
このデジタルカメラ１００は、カメラ本体１０の端面１０ａにストラップ１２が取り付けられ、ストラップ１２の把持部側を開口部１４ａから導出させてカメラ本体１０を包装袋１４により覆っている。このストラップ１２の纏め部１２ｂを包装袋１４の開口孔１４ａより大きく形成することで、包装袋１４を締め部１２ｂに係止させている。ここでのストラップ１２は、携帯時の手持ち用だけでなく、展示用ハンガー１１等への展示吊り下げ用として用いられる。そして、包装袋１４が開封された後のデジタルカメラ１００の使用時には、ストラップ１２は、本来の手持ち用として機能する。なお、包装袋１４は、所定のパターンが印刷された袋であってもよく透明な袋であってもよい。
【００２７】
図２に上記カメラ本体１０の内部の具体的なブロック構成を示した。カメラ本体１０は、射出成形されたプラスチックレンズ等により形成された撮像レンズ２０及びＣＣＤ等の２次元イメージセンサである固体撮像素子２２からなる撮像部と、固体撮像素子２２から出力されるカラー画像信号を処理するアナログ処理回路２４と、アナログ信号をデジタル信号に変換するＡ／Ｄ変換回路２６と、変化されたデジタル画像データを演算してデータ量を圧縮符号化するデジタル処理回路２８と、処理された画像データを記憶する記録領域を有するメモリ３０とを有する。さらにカメラ本体１０は、カメラ本体１０外部からメモリ３０へのアクセス動作及びアクセス権の有無を判定する等の外部との信号入出力を行うインターフェース３２と、各種動作を入力するための操作部３４と、撮影日時等の設定に用いるタイマ３６と、スイッチ３８を介して接続される電源４０と、各部を統括して制御する制御部４２とを有している。
【００２８】
メモリ３０は、例えば、データの記憶保持に外部からの電源供給が不要なフラッシュメモリ等の電気的に書き換え可能な半導体メディアが好適に使用される。
インターフェース３２は、データ読み取り装置側のインターフェースに接続することで、撮像された画像データのカメラ本体１０からの読み出しを可能にしている。
【００２９】
次に、上記構成のデジタルカメラ１００のストラップ１２とスイッチ３８の構成を詳細に説明する。
図３にストラップ１２とスイッチ３８の具体的な構成例を示した。ストラップ１２は、ループ状に形成した幅広把持部１２ａと、幅広把持部１２ａを纏める纏め具１２ｂと、纏め具に接続した細ひも部１２ｃとからなる。ストラップ１２の細ひも部１２ｃには、その先端から順に、カメラ本体１０の端面１０ａに設けた開口孔１６の径より大きい外径を有するストッパ４６と、このストッパ４６に所定間隔をおいて弾性変形により開口孔１６を通過可能な固定用中間弾性体４８と、係止具５０とを取り付けている。固定用中間弾性体４８は例えばゴム材が好適に用いられる。ストラップ１２の細ひも部１２ｃは、開口孔１６からカメラ本体１０内に収容される。
【００３０】
また、カメラ本体１０の開口孔１６とストラップ１２の係止具５０との間には、ストラップ１２に対する略直交方向からストラップ狭持片５２が挿入される。ストラップ狭持片５２は、図４に斜視図を示すように挿入側先端部にＶ字型の切り欠き５２ａを有する断面Ｌ字型を呈しており、切り欠き５２ａ内でストラップ１２の細ひも部１２ｃを挟み込むようにカメラ本体１０に挿入されることでストラップを仮固定状態にする。また、カメラ本体１０に挿入されたストラップ狭持片５２の挿入方向先端部は、カメラ本体１０内に設けられたスイッチ３８（Ａ部）の電極間に挿入され、スイッチ３８を遮断状態（通電停止状態）にする。
【００３１】
スイッチ３８は、図５にＡ部の拡大図を示すように、カメラ本体１０の端面１０ａ内側に敷設された電極５４と、この電極５４に対峙して弾性付勢されて設けられた突出電極５６とを有し、これら電極５４，５６の間にストラップ狭持片５２が挿入されることで通電が停止され、ストラップ狭持片５２が抜かれたときに電極５４と電極５６とが接触して通電される。
【００３２】
このスイッチ３８の構成によれば、ストラップ狭持片５２がカメラ本体１０に差し込まれた状態では、スイッチ３８は通電停止状態となり、ストラップ１２は係止具５０により引き出し不能にストラップ狭持片５２に係止されている。一方、ストラップ狭持片５２をカメラ本体１０から引き抜くと、スイッチ３８は導通状態となり、ストラップ１２がフリー状態となる。そして、図６にストラップ１２をカメラ本体１０から引き出した状態を示すように、ストラップ１２先端の固定用中間弾性体４８が、開口孔１６を弾性変形を伴いながら通過して、開口孔１６を通り抜けたときに元の形状に弾性復元される。このとき、ストラップ１２は、ストッパ４６と固定用中間弾性体４８との間にカメラ本体１０の筐体が狭持されて固定される。そして、図７にストラップ狭持片５２を再挿入した様子を示すように、一旦ストラップ１２が固定されると、ストラップ狭持片５２の挿入側先端とストッパ４６とが干渉して、元の差し込み位置まで戻すことができなくなる。従って、一旦引き抜いたストラップ狭持片５２は再挿入できず、スイッチ３８は一旦通電停止状態から通電状態になった後は、通電状態が常に維持される。
【００３３】
ここで、上記構成のデジタルカメラ１００による撮影動作を順次説明する。図８はデジタルカメラ１００による撮影動作手順を示すフローチャートである。
まず、デジタルカメラ１００を包む包装袋１４を開封し、カメラ本体１０に挿入されたストラップ狭持片５２を引き抜き、スイッチ３８を通電停止状態から通電状態にする（Ｓ１）。このとき、ストラップ１２はフリー状態となるが、ストラップ１２をさらに引き出すことで、ストラップ１２がカメラ本体１０側に固定され、ストラップ狭持片５２が再挿入できなくなる。
【００３４】
スイッチ３８が通電状態にされると、タイマ３６がカウント動作を開始する（Ｓ２）。そして、デジタルカメラ１００により所望の撮影を行い（Ｓ３）、その撮影コマ毎にタイマデータＴｍi（ｉは撮影コマ順番を表す）を画像データと共にメモリ３０に記録する（Ｓ４）。
ここで、図９に撮影時から撮影データ読み出し時までのタイミングチャートを示した。図９に示すように、ストラップ狭持片５２を引き抜くことでタイマ３６のカウント動作が開始され、１枚目の撮影が行われると、撮影時のカウント数ｔｍ1が撮影データと共にメモリ３０に記録される。このカウント数ｔｍ1はタイマ３６のカウント開始時からの時間差を表している。次に、同様にして２枚目の撮影、３枚目の撮影、…、ｎ−１枚目の撮影、ｎ枚目の撮影を行い、各コマの画像データ及びカウント数ｔｍi（ｉ＝１〜ｎ）を記録して全コマの撮影を終了する（Ｓ５）。
【００３５】
そして、撮影終了後に、インターフェース３２を介して撮影データ及びタイマデータを読み出す。いま、読み出し日時をＰｔとすると、タイマ３６のタイマデータＴｍiと読み出し日時Ｐｔとの差ΔＴは、ΔＴ＝Ｐｔ−ｔｍf（ｔｍfは撮影データ読み出し時のタイマカウント数）で表せる。そこで、得られた差ΔＴと、各コマのカウント数ｔｍiから各コマの撮影日時を逆算して求める。１枚目の撮影日時Ｔ1は、撮影時のカウント数ｔｍ1に差ΔＴを加えた値、即ち、
Ｔ1＝ｔｍ1＋ΔＴ
＝Ｐｔ−（ｔｍf−ｔｍ1）
で求められる。同様に、２枚目の撮影日時Ｔ2、３枚目の撮影日時Ｔ3…についても逆算して求めることで、各コマの撮影日時が得られる。
【００３６】
上記のようにしてカメラ動作開始時からのタイマカウント数を用いて撮影日時を逆算して設定することにより、デジタルカメラ１００の出荷時に正確な日時設定を行う必要がなくなり、製造工数を削減してコストダウンが図られる。また、出荷時からカメラ使用時まで長期間経過した場合であっても、電源寿命により日時設定が狂うことがなくなり、簡単にして正確な日時の設定が行える。そして、タイマ動作を開始させるスイッチ３８をストラップ１２と一体に形成することにより、安価で簡単な構成でありながら電源の投入が行えると共に、電源の再投入が確実に防止される構成にできる。
なお、逆算により撮影日時を求めるタイミングは、上述した撮影データ読み出し時以外にも、画像データプリント時等の他のタイミングであっても構わない。
【００３７】
このように、カメラ本体１０に備えられたストラップ１２を携帯時の手持ち用としてのみならず展示用としても利用することにより、包装袋１４等の構成を一層単純にでき製造工数が削減されてコストダウンが図られる。また、ストラップ１２の仮固定の解除動作を電源スイッチと協働させることにより、デジタルカメラの使用者が別段意識することなく電源スイッチの投入が行えると共に、スイッチの入れ忘れも防止できる。さらに、デジタルカメラ１００をストラップ１２によって展示用ハンガー１１に吊り下げるため、一つの展示用ハンガー１１により多くのカメラを吊り下げることができ、包装袋のタブに挿通孔を形成した場合のようにカメラが容易に滑り落ちることがなくなる。
【００３８】
次に、本発明に係るデジタルカメラの第２実施形態を説明する。図１０は本実施形態のデジタルカメラ２００のストラップ取り付け状態を示す説明図である。なお、図中包装袋が省略されているが、第１実施形態同様に取り付けられている。また、前述の実施形態と同一の機能を有する同一の部材に対しては、同じ符号を付与することでその説明は省略するものとする。
【００３９】
図１０（ａ）に示すように、本実施形態におけるストラップ６０は、カメラ本体１０の角部に取り付けられ、さらにカメラ本体１０の吊り下げ上側端面の中央部位で、テープ６２によってストラップ６０をカメラ本体１０に密着させることで仮固定されている。テープ６２は紙製、ビニール製等の弱い力で容易に切断できるものが用いられる。このように、ストラップ６０が角部に取り付けられていることにより、デジタルカメラ２００の使用時にストラップ６０が邪魔になりにくくなり掌握性が向上すると共に、ストラップ６０によりカメラ本体１０を吊り下げたときに、カメラ本体１０の上側端面が水平に保たれる。即ち、ストラップ６０がカメラ本体１０の重心位置で吊り下げることにより、吊り下げ姿勢が水平となり、デジタルカメラ２００の陳列作業時に表裏の向き合わせが容易に行え、美観にも優れた展示形態にできる。
【００４０】
また、本実施形態のデジタルカメラ２００を開封する際は、図１０（ｂ）に示すように、ストラップ６０をカメラ本体１０から引き上げることでテープ６２を切断し、ストラップ狭持片５２をカメラ本体１０から引き抜いた後にストラップ６０を引き出して、第１実施形態同様に固定する。
【００４１】
このように、本実施形態のデジタルカメラ２００によれば、カメラ本体１０に備えられたストラップ６０を携帯時の手持ち用としてのみならず展示用としても利用することにより部品点数を削減してコストダウンが図られる。また、デジタルカメラ２００を展示する際は、カメラ本体１０を重心位置で吊り下げることにより、デジタルカメラ２００陳列時の整列作業を単純化でき、取り扱い性を向上できる。
【００４２】
なお、上記構成ではストラップ止め部材としてテープ６２を用いたが、これに限らず、図１１に本実施形態の変形例を示すように、カメラ本体１０と同一材料（例えばプラスチック）からなるフック６４を重心位置に設けた構成としてもよい。この構成によれば、カメラ本体１０とフック６４とを一体成形でき、コストダウンが図れ、また、デジタルカメラ２００使用時には、ストラップ６０をフック６４から外すだけで済み、ストラップ６０の取り回しが一層簡単化される。さらに、適宜ストラップ６０をフック６４に掛け直して携帯することもできる。
【００４３】
また、ストラップ６０は、カメラ本体１０側面の両端部に接続する両吊りタイプにすることもできる。図１２に両吊りタイプのストラップ６６の一構成例を示した。図示したように、ストラップ６６は必要に応じて出荷時に所定長を束ねておいてもよい。このような両吊りタイプのストラップ６６にすることで、より安定して展示用ハンガー１３に掛けられる。
【００４４】
次に、本発明に係るデジタルカメラの第３実施形態を説明する。
図１３は第２実施形態におけるストラップ固定用のテープに電源スイッチの機能を兼ね備えた一構成例を示す要部斜視図であり、図１４は図１３のＢ−Ｂ断面を概略的に示す図である。
本実施形態におけるデジタルカメラ３００のストラップ６８は、第２実施形態と同様にカメラ本体１０側端面の角部に基端部が取り付けられ、テープ７０によってカメラ本体１０側の所定位置で仮固定され、カメラ本体１０の重心位置で吊り下げるようにしている。また、テープ７０は、図１４の断面図に示すように、開口孔１６を通してカメラ本体１０内に導入されると共に、電源に接続されるスイッチ３８の電極間に挿入され、各電極間に挿入されたテープ７０の先端が図示しないがカメラ本体１０側に固定されている。このテープ７０は絶縁性材料からなり、ストラップ６８を引き上げたときに、まず電極間に挿入された一端側が引き抜かれる程度の強さで他端側がカメラ本体１０に接着固定される。なお、スイッチ３８の電極間に挿入されるテープ７０の先端側には、テープ７０の切断を助長するミシン目や切断用ノッチ等が形成されることが好ましい。また、テープ７０を局所的に薄く形成して引張強度を弱くしておくことでもよい。
【００４５】
本実施形態のデジタルカメラ３００によれば、ストラップ６８をカメラ本体１０の重心位置に仮固定して陳列することができると共に、簡単な構成でスイッチ３８が形成できる。即ち、単純にストラップ６８を引き上げることでテープ７０のスイッチ３８側が切断され、スイッチ３８の各電極が接触して導通状態となり、撮影可能な状態になる。
【００４６】
また、テープ７０の代わりに絶縁性を有するプラグを用いてもよい。図１５にプラグの一例とその装着状態を示した。
図示したプラグ７２は、全体がコ字型に形成され、略直角に突出した先端にはくさび形の係止部７２ａを設けている。このプラグ７２がカメラ本体１０の開口孔１６に装着された状態では、係止部７２ａが開口孔１６の縁部に係止されると共に、スイッチ３８の電極間に一方の係止部７２ａが挿入されて通電停止状態となる。この状態からストラップ６８を引き上げてプラグ７２をカメラ本体１０から引き抜いたり、或いはプラグ７２を直接引き抜くといった簡単な動作によって、スイッチ３８の各電極が接触して通電状態となり、撮影可能な状態になる。
【００４７】
なお、上記各実施形態においては、ストラップの操作により電源スイッチを投入する構成にしているが、ボタンや簡易的なスイッチ等、他の部材で代用して構成することもできる。
また、各実施形態においては、ストラップ付きカメラとしてデジタルカメラを用いて説明したが、これに限らず、レンズ付きフィルムユニット等の種々の携帯型機器に対して適用可能である。
【００４８】
【発明の効果】
以上詳細に説明したように、本発明に係るストラップ付きカメラ及びその展示方法によれば、カメラ本体に仮固定されるストラップの基端側とは反対側の把持部側を包装袋の外部に導出することで、カメラを梱包状態のままストラップにより吊り下げることができる。また、ストラップの仮固定を解除したときに、カメラに備わる電源スイッチがＯＦＦ状態からＯＮ状態に変更されることにより、電源スイッチをストラップと協働して動作させることができ、電源の再投入不能な電源スイッチを単純な構成で形成できる。これによりコストダウンを図ることができる。
【図面の簡単な説明】
【図１】ストラップ付きカメラを示す概念的な透視図である
【図２】カメラ本体の内部の具体的なブロック構成を示す図である。
【図３】ストラップとスイッチの具体的な構成例を示す図である。
【図４】ストラップ狭持片の斜視図である。
【図５】図３のＡ部拡大図を示す図である。
【図６】ストラップをカメラ本体から引き出した状態を示す図である。
【図７】ストラップ狭持片を再挿入した様子を示す図である。
【図８】デジタルカメラによる撮影動作手順を示すフローチャートである。
【図９】撮影時から撮影データ読み出し時までのタイミングチャートを示す図である。
【図１０】第２実施形態におけるデジタルカメラのストラップ取り付け状態を示す説明図である。
【図１１】第２実施形態の変形例を示す図である。
【図１２】両吊りタイプのストラップの一構成例を示す図である。
【図１３】ストラップ固定用のテープに電源スイッチの機能を兼ね備えた第３実施形態の一構成例を示す要部斜視図である。
【図１４】図１３のＢ−Ｂ断面を概略的に示す図である。
【図１５】プラグの一例とその装着状態を示す図である。
【符号の説明】
１０  カメラ本体
１１，１３  展示用ハンガー
１２，６０，６６，６８  ストラップ
１４  包装袋
１４ａ  開口部
１６  開口孔
３８  電源スイッチ
４０  電源
４６  ストッパ
４８  固定用中間弾性体
５２  ストラップ狭持片
５４，５６  電極
６２  テープ（ストラップ止め部材）
６４  フック（ストラップ止め部材）
７０  テープ（ストラップ係止片）
７２  プラグ（ストラップ係止片）
１００，２００，３００  デジタルカメラ（ストラップ付きカメラ）
【図１】
0004015378.tif 000002
【図２】
0004015378.tif 000003
【図３】
0004015378.tif 000004
【図４】
0004015378.tif 000005
【図５】
0004015378.tif 000006
【図６】
0004015378.tif 000007
【図７】
0004015378.tif 000008
【図８】
0004015378.tif 000009
【図９】
0004015378.tif 000010
【図１０】
0004015378.tif 000011
【図１１】
0004015378.tif 000012
【図１２】
0004015378.tif 000013
【図１３】
0004015378.tif 000014
【図１４】
0004015378.tif 000015
【図１５】
0004015378.tif 000016